(57)【要約】【課題】水道水を貯水する飲用水貯留システムにおいて、通常時における水の入れ替え性と、断水時の取水作業における操作性を向上させる。【解決手段】水道水を貯水する飲用水貯留システム１である。貯水タンク４と、一端が貯水タンク４に接続される第１および第２給水管７，８と、一端がトイレ１６に接続される第３給水管９とを備えている。第１〜第３給水管７，８，９は、洗面台３２下側の床面２１から立ち上がっている。第１給水管７は、他端が洗面台３２の水栓１５に接続され且つ第１接続路１０を介して第２給水管８と接続されている。第３給水管９は、他端が第２接続路１１を介して第２給水管８と接続されている。第２給水管８の他方の端部に空気圧入口２３が設けられている。断水時に、空気圧によって貯水タンク４から洗面台３２の水栓１５に水道水が供給される。【選択図】図１
2016069975.tif 000002
【特許請求の範囲】
【請求項１】
水道管を通じて戸建住宅に供給される水道水を貯水する飲用水貯留システムであって、
戸建住宅に設置され、水道管を通じて供給される水道水を貯水する貯水タンクと、
上記貯水タンクから水道管への水道水の逆流を防止するための逆止弁と、
一方の端部が上記貯水タンクにそれぞれ接続されているとともに、他方の端部が第１水栓器具の近傍に位置する第１および第２給水路と、
一方の端部が第２水栓器具に接続されているとともに、他方の端部が上記第１水栓器具の近傍に位置する第３給水路と、を備え、
上記第１給水路は、他方の端部が上記第１水栓器具に接続されているとともに、第１開閉弁を有する第１接続路を介して上記第２給水路と接続され、
上記第３給水路は、他方の端部が、第２開閉弁を有する第２接続路を介して上記第２給水路と接続され、
上記第２給水路の他方の端部には、空気圧入手段が接続される空気圧入口と、当該空気圧入口からの水道水の流出を防止するための弁とが設けられ、
通常時に上記第１および第２開閉弁が開かれ、給水圧によって上記貯水タンクから上記第１および第２水栓器具に水道水が供給される通常モードから、断水時に上記第１および第２開閉弁が閉じられ、空気圧入手段による空気圧によって上記貯水タンクから上記第１水栓器具に水道水が供給される取水モードへ切り替えられることを特徴とする飲用水貯留システム。
【請求項２】
上記請求項１に記載の飲用水貯留システムにおいて、
上記第１、第２および第３給水路の他方の端部は、上記第１水栓器具の近傍の床面からそれぞれ上方に立ち上がっており、
上記第１および第３給水路は、床面よりも上側で上記第２給水路と接続されていることを特徴とする飲用水貯留システム。
【請求項３】
上記請求項２に記載の飲用水貯留システムにおいて、
上記第１接続路は、上記第２給水路における床面から上方に立ち上がる部位から側方に分岐する第１分岐管と、当該第１分岐管の先端部から上方に分岐する第２分岐管とを含み、
上記第２接続路は、上記第１分岐管と、当該第１分岐管の先端部から下方に分岐する第３分岐管とを含むことを特徴とする飲用水貯留システム。
【請求項４】
上記請求項１〜３のいずれか１つに記載の飲用水貯留システムにおいて、
上記空気圧入口からの水道水の流出を防止するための弁が第３開閉弁を含む場合には、上記通常モードおよび上記取水モードにおける、上記第１、第２および第３開閉弁のハンドルの向きが同じ方向に設定されていることを特徴とする飲用水貯留システム。
【請求項５】
上記請求項１〜４のいずれか１つに記載の飲用水貯留システムにおいて、
上記通常モードから上記取水モードへの切り替え手順を表示した表示物をさらに備え、
上記表示物には、上記各開閉弁のハンドルが取り付けられる、当該各開閉弁の軸に対応した位置に貫通孔が形成されており、
上記貫通孔に挿入された上記軸に上記ハンドルを取り付けることで、上記第１〜第３給水路に上記表示物が取り付けられていることを特徴とする飲用水貯留システム。
【請求項６】
上記請求項１〜５のいずれか１つに記載の飲用水貯留システムにおいて、
上記空気圧入口には、延長ホースが接続されており、
上記延長ホースの先端部には、自転車タイヤ用空気入れまたは自動車タイヤ用空気入れを接続可能なバルブ接続口が設けられていることを特徴とする飲用水貯留システム。
【発明の詳細な説明】
【技術分野】
【０００１】
本発明は、水道管を通じて戸建住宅に供給される水道水を貯水する飲用水貯留システムに関し、特に、貯水された水道水を断水時に水栓から取水可能な飲用水貯留システムに関するものである。
【背景技術】
【０００２】
我が国では、阪神大震災や東日本大震災の経験を踏まえ、万が一の災害に備えて、家庭での水の備蓄が推奨されている。
【０００３】
家庭での水の備蓄方法としては、例えば、ＰＥＴボトルを用いて、ある程度まとまった量の飲用水を蓄えておく方法が一般的である。しかしながら、この方法では、ＰＥＴボトルに蓄えられた飲用水の消費期限の管理や、飲用水の入れ替えや、備蓄水の買い替え等を伴うため煩雑であるという問題がある。
【０００４】
また、水道管を通じて水道水が供給される貯水タンクを天井裏に吊り下げ、通常時には、給水管を介して当該貯水タンクと接続された各種水栓（トイレ、バス、洗面、台所等）に給水圧によって水道水を供給する一方、断水時には、給水管を介して当該貯水タンクと接続された特定の水栓（例えば台所）に重力によって水道水を供給する方法が提案されている。この方法によれば、日常生活で水道水を使用する度に、貯水タンク内の水道水が新鮮な水道水と入れ替わることから、飲用水の消費期限の管理等は必要が無い。しかしながら、この方法では、点検カバーや開閉弁等が貯水タンクに設けられているため、点検や開閉操作等が天井作業となり危険であるし、非常時を想定した訓練がし難く、また、その設置には落下防止のための特殊な工事を伴うという問題がある。
【０００５】
そこで、従来から、水道管を通じて水道水が供給される貯水タンクを床下に設置し、断水時には、当該貯水タンクに空気を供給して、空気圧によって特定の水栓から取水を行う方法が種々提案されている。
【０００６】
例えば、特許文献１には、通常時には、配水管を介して貯水槽と接続された各種水栓（トイレ、バス、洗面所、台所等）に給水圧によって水道水を供給する一方、断水時には、接続口が設けられた水栓（例えば洗面所）および非常取水栓（例えば台所）以外の水栓（トイレ、バス）を閉鎖し、接続口から空気を圧入して、貯水槽内に貯留されている水道水を非常取水栓に供給することが開示されている。
【０００７】
また、特許文献２には、貯水タンク内に導入された水道水を給水栓（例えば台所）まで導く第一給水管と、一端が貯水タンクに接続され且つ他端が切替弁を介して第一給水管に接続される第二給水管とを備え、通常時には、第一および第二給水管を介して貯水タンクから給水栓へ給水圧によって水道水を供給する一方、断水時には、第一給水管と第二給水管との連通を遮断し、第二給水管から空気を圧入して、第一給水管を介して貯水タンクから給水栓へ空気圧によって水道水を供給することが提案されている。
【先行技術文献】
【特許文献】
【０００８】
【特許文献１】特許５５０６４０９号公報
【特許文献２】特開２０１３−１７０４０１号公報
【発明の概要】
【発明が解決しようとする課題】
【０００９】
上記特許文献１のものには、閉鎖する水栓を替えることで、様々な非常取水栓を活用できるという利点があるが、以下のような問題がある。すなわち、特許文献１のものでは、接続口が設けられた水栓および非常取水栓以外の水栓が開放されていると、空気を圧入しても取水することが困難になったり、非常取水栓以外の水栓から貴重な水が流出したりするおそれがある。そして、震災等における断水時に、接続口が設けられた水栓および非常取水栓以外の水栓が全て閉鎖されているか一々を確認して回れるかは疑問である。また、居住者が一人であるような場合には、例えば、同一人が洗面所での空気の圧入と台所での取水を行うことは困難である。
【００１０】
一方、上記特許文献２のものでは、居住者が一人であるような場合でも、同一人が空気の圧入と取水を行うことが可能であるという利点はあるものの、通常時における貯水タンク内の水の入れ替えがスムーズに行われないおそれがある。すなわち、万一のために準備しておきたい水量で設定された貯水タンク内の水を常に新鮮な水道水と入れ替えるには、ある程度まとまった量の水を使用する必要がある。しかしながら、特許文献２のものでは、１つの貯水タンクからの水道水の供給箇所が１つの給水栓に限定されているため、水道水の使用量が少ない場合、十分に新鮮な水への置換が図られない場合も想定される。それ故、特許文献２のものにおいて、貯水タンク内の水道水を常に新鮮な水道水と入れ替えるには、貯水タンクの容量を置換から逆算した安全な容量まで小さくしなければならないという問題がある。
【００１１】
本発明はかかる点に鑑みてなされたものであり、その目的とするところは、水道水を貯水する飲用水貯留システムにおいて、通常時における水の入れ替え性と、断水時の取水作業における操作性を向上させる技術を提供することにある。
【課題を解決するための手段】
【００１２】
前記目的を達成するため、本発明に係る飲用水貯留システムでは、１つの貯水タンクからの水道水の供給箇所を２箇所にするとともに、そのうちの１つを断水時の取水箇所とし、断水時に操作する弁および空気圧入口を当該取水箇所の近傍に集中して設けるようにしている。
【００１３】
具体的には、本発明は、水道管を通じて戸建住宅に供給される水道水を貯水する飲用水貯留システムを対象としている。
【００１４】
そして、この飲用水貯留システムは、戸建住宅に設置され、水道管を通じて供給される水道水を貯水する貯水タンクと、上記貯水タンクから水道管への水道水の逆流を防止するための逆止弁と、一方の端部が上記貯水タンクにそれぞれ接続されているとともに、他方の端部が第１水栓器具の近傍に位置する第１および第２給水路と、一方の端部が第２水栓器具に接続されているとともに、他方の端部が上記第１水栓器具の近傍に位置する第３給水路と、を備え、上記第１給水路は、他方の端部が上記第１水栓器具に接続されているとともに、第１開閉弁を有する第１接続路を介して上記第２給水路と接続され、上記第３給水路は、他方の端部が、第２開閉弁を有する第２接続路を介して上記第２給水路と接続され、上記第２給水路の他方の端部には、空気圧入手段が接続される空気圧入口と、当該空気圧入口からの水道水の流出を防止するための弁とが設けられ、通常時に上記第１および第２開閉弁が開かれ、給水圧によって上記貯水タンクから上記第１および第２水栓器具に水道水が供給される通常モードから、断水時に上記第１および第２開閉弁が閉じられ、空気圧入手段による空気圧によって上記貯水タンクから上記第１水栓器具に水道水が供給される取水モードへ切り替えられることを特徴としている。
【００１５】
なお、本発明において、「第１水栓器具の近傍」としては、例えば、第１水栓器具の近傍の床下（例えば床下点検口脇）や、第１水栓器具が受け鉢（例えば洗面台やシンク等）を有していれば、受け鉢の下方等を挙げることができる。
【００１６】
この構成によれば、通常モードにおいて、貯水タンク内の水道水は、給水圧によって第１給水路を介して第１水栓器具に供給される。また、貯水タンク内の水道水は、給水圧によって第２給水路を通り、その一部が、第１開閉弁が開かれた第１接続路を通って第１給水路内を流れる水道水と合流した後、第１水栓器具に供給されるとともに、残りの一部が、第２開閉弁が開かれた第２接続路および第３給水路を通って第２水栓器具に供給される。このように、通常モードでは、貯水タンク内の水道水が第１水栓器具のみならず第２水栓器具にも供給されることから、貯水タンク内の水道水の使用量が増えるので、貯水タンク内の水道水を新鮮な水道水と入れ替えることができる。
【００１７】
他方、取水モードにおいては、第１開閉弁が閉じられることから、第２給水路と第１給水路との間における流体（水道水および空気）の直接の出入りはなくなる。また、第２開閉弁が閉じられることから、第３給水路への流体の流れが遮断される。このような状態において、空気圧入口に接続した空気圧入手段によって圧入された空気は、第２給水路を通って貯水タンクに至る。そうして、貯水タンクから水道管への水道水の逆流を防止するための逆止弁が設けられていることから、貯水タンク内の空気圧が上昇すると、貯水タンク内の水道水は第１給水路を通って第１水栓器具に供給される。これにより、断水時の取水を確実に行うことができる。
【００１８】
しかも、第１および第２開閉弁や空気圧入口は、非常取水栓（第１水栓器具）の近傍に集中しているので、同一人が開閉弁の操作や空気の圧入や取水を円滑に行うことができる。
【００１９】
また、上記飲用水貯留システムでは、上記第１、第２および第３給水路の他方の端部は、上記第１水栓器具の近傍の床面からそれぞれ上方に立ち上がっており、上記第１および第３給水路は、床面よりも上側で上記第２給水路と接続されていることが好ましい。
【００２０】
この構成では、例えば第１水栓器具が受け鉢を有していれば、受け鉢の下方の床面から第１〜第３給水路をそれぞれ立ち上げることで、受け鉢の下方の空間を有効に利用することができる。具体的には、第１水栓器具が洗面台の水栓であれば、洗面台下の空間を、また、第１水栓器具が台所の水栓であれば、シンク下の空間をバルブ（弁）操作部として有効に利用することができる。
【００２１】
ここで、第２給水路の他方の端部には水道水の流出を防止するための弁が設けられているため、通常時に貯水タンクから供給された水道水は第２給水路からは流出しない。このため、第２給水路における第１および第２接続路よりも上側の部分には、若干ではあるが水の滞留部が生じることになり、衛生上好ましくないとも思われる。しかし、第２給水路は床面から上方に立ち上がっていることから、かかる滞留部には、通常時における給水の直流が当たるので、第１水栓器具で水道水を使用する度に、滞留部に溜まった水を新鮮な水道水に置き換えることができ、問題はない。
【００２２】
ところで、上記床面から第１〜第３給水路が立ち上がる構成では、第３給水路は第２接続路を介して床面よりも上側で第２給水路と接続されており、水道水は第２給水路内を上昇した後、第２接続路を通って第３給水路内を下降して床面よりも下側を流れることから、いわゆる鳥居配管となっている。このため、第２接続路に生じる空気溜まりによって吐出流量性能が低下するおそれがある。
【００２３】
そこで、上記第１接続路は、上記第２給水路における床面から上方に立ち上がる部位から側方に分岐する第１分岐管と、当該第１分岐管の先端部から上方に分岐する第２分岐管とを含み、上記第２接続路は、上記第１分岐管と、当該第１分岐管の先端部から下方に分岐する第３分岐管とを含むことが好ましい。
【００２４】
この構成では、第１接続路が第１分岐管の先端部から上方に分岐する第２分岐管を含むことから、第１水栓器具を使用すると、第１分岐管に溜まった空気が第２分岐管を通って第１水栓器具から排出されるので、空気溜まりによって吐出流量性能が低下するのを抑えることができる。なお、床下（例えば床下点検口脇）にバルブ操作部を置いた場合は、鳥居配管が生じず、または、若干の不陸が生じるに過ぎないため、空気溜まりの危険は相対的に軽くなるので安全側になるといえる。
【００２５】
さらに、上記飲用水貯留システムでは、上記空気圧入口からの水道水の流出を防止するための弁が第３開閉弁を含む場合には、上記通常モードおよび上記取水モードにおける、上記第１、第２および第３開閉弁のハンドルの向きが同じ方向に設定されていることが好ましい。
【００２６】
この構成によれば、第１〜第３開閉弁のハンドルの向きが、モード毎に統一されているので、誤操作を可及的に抑制することができる。
【００２７】
また、上記飲用水貯留システムは、上記通常モードから上記取水モードへの切り替え手順を表示した表示物をさらに備え、上記表示物には、上記各開閉弁のハンドルが取り付けられる、当該各開閉弁の軸に対応した位置に貫通孔が形成されており、上記貫通孔に挿入された上記軸に上記ハンドルを取り付けることで、上記第１〜第３給水路に上記表示物が取り付けられていることが好ましい。
【００２８】
この構成によれば、表示物の紛失を防ぐことができるとともに、断水時において、通常モードから取水モードへの切り替え手順を見ながら開閉弁等の操作を行えることから、誤操作を可及的に抑制することができる。
【００２９】
さらに、上記飲用水貯留システムでは、上記空気圧入口には、延長ホースが接続されており、上記延長ホースの先端部には、自転車タイヤ用空気入れまたは自動車タイヤ用空気入れを接続可能なバルブ接続口が設けられていることが好ましい。
【００３０】
この構成によれば、家庭に通常備えられている自転車タイヤ用空気入れまたは自動車タイヤ用空気入れを用いて空気の圧入を行うことができる。また、空気圧入口に延長ホースが接続されていることから、延長ホースを引き出すことで、第１水栓器具近傍の奥まった箇所で空気入れのバルブを接続する煩わしさを解消することができるとともに、例えばホースが短い市販の空気入れを用いても、第２給水路に空気を圧入することができる。
【発明の効果】
【００３１】
以上、説明したように本発明に係る飲用水貯留システムによれば、通常時における水の入れ替え性と、断水時の取水作業における操作性を向上させることができる。
【図面の簡単な説明】
【００３２】
【図１】実施形態１に係る飲用水貯留システムを示す概略図である。
【図２】第１、第２および第３給水管の接続関係を模式的に示す図であり、同図（ａ）は通常モードにおける状態を示し、同図（ｂ）は取水モードにおける状態を示す。
【図３】飲用水貯留システムにおける水道水および空気の流れを模式的に説明する図であり、同図（ａ）は通常モードにおける状態を示し、同図（ｂ）は取水モードにおける状態を示す。
【図４】作業手順を表示した表示物を模式的に示す図である。
【図５】表示物の取付手順を模式的に説明する図である。
【図６】実施形態２における第１、第２および第３給水管の接続関係を模式的に示す図であり、同図（ａ）は通常モードにおける状態を示し、同図（ｂ）は取水モードにおける状態を示す。
【図７】その他の実施形態に係るヘッダーを模式的に示す図である。
【発明を実施するための形態】
【００３３】
以下、本発明を実施するための形態を図面に基づいて説明する。
【００３４】
（実施形態１）
−飲用水貯留システムの構成−
図１は、本実施形態に係る飲用水貯留システム１を示す概略図である。この飲用水貯留システム１は、水道管２を通じて戸建住宅３に供給される水道水を、震災等における断水時に備えて貯水するためのものである。この飲用水貯留システム１は、貯水タンク４と、逆止弁５と、ヘッダー６と、第１、第２および第３給水管７，８，９と、第１および第２接続路１０，１１と、断水時における作業手順を表示した表示物２４と、を備えている。なお、図１〜３では、図を見易くするために、表示物２４を図示省略する。
【００３５】
この飲用水貯留システム１では、水道管２から供給される水道水は、水道管２とヘッダー６の集合部６ａとを繋ぐ導管３０を流れて、ヘッダー６に形成された４つの分岐部６ｂ，６ｃ，６ｄ，６ｅから、各種の水栓器具へそれぞれ供給される。本実施形態では、分岐部６ｂが貯水タンク４と接続されている。なお、残り３つの分岐部６ｃ，６ｄ，６ｅは、後述する洗面台３２の水栓１５およびトイレ１６以外の水栓器具（図示せず）と接続されている。
【００３６】
貯水タンク４は、水道管２を通じて供給される水道水を貯水するためのものであり、戸建住宅３の床下に設置されている。貯水タンク４は、ポリエチレン製であり、中空円柱状に形成されている。なお、貯水タンク４の材質は、特に限定されるものではなく、ポリエチレンの他、硬質塩化ビニル、ポリプロピレン等の合成樹脂や、ステンレスを用いてもよい。
【００３７】
貯水タンク４の円筒部４ａの上流端における下端部（底部）には、流入孔としての上流側貫通孔４ｂが形成されている。この上流側貫通孔４ｂには、貯水タンク４とヘッダー６の分岐部６ｂとを繋ぐ配管３１が接続されている。この配管３１には、貯水タンク４から水道管２への水道水の逆流を防止するための逆止弁５が設けられており、一旦貯水タンク４に供給された水道水は、後述の如く空気圧が作用しても上流側へ逆流しないようになっている。
【００３８】
一方、貯水タンク４の円筒部４ａの下流端における下端部（底部）には、流出孔としての下流側第１貫通孔４ｃが形成されているとともに、貯水タンク４の円筒部４ａの下流端における上端部（頂部）には、流出孔としての下流側第２貫通孔４ｄが形成されている。このように、下流側第１貫通孔４ｃを下端部に形成することにより、断水時に貯水タンク４内の水位が下がった場合でも、下流側第１貫通孔４ｃから水道水を取水できるようになっている。また、下流側第２貫通孔４ｄを上端部に形成することにより、通常時には基本的に、貯水タンク４内に存する空気を全て排出することが可能となっている。
【００３９】
第１給水管７は、上流端（一方の端部）が貯水タンク４の下流側第１貫通孔４ｃに接続されている一方、下流端（他方の端部）が洗面台３２下方（第１水栓器具の近傍）の床面２１から上方に立ち上がって、洗面台３２の水栓（第１水栓器具）１５に接続されている。第２給水管８は、上流端（一方の端部）が貯水タンク４の下流側第２貫通孔４ｄに接続されている一方、下流端（他方の端部）が洗面台３２下方の床面２１から上方に立ち上がっている。第３給水管（第３給水路）９は、下流端（一方の端部）がトイレ（第２水栓器具）１６に接続されている一方、上流端（他方の端部）が洗面台３２下方の床面２１から上方に立ち上がっている。
【００４０】
これら第１、第２および第３給水管７，８，９には、架橋ポリエチレン管、ポリブテン管、アルミ金属三層管、軟質銅管等の可撓管が用いられている。もっとも、第１、第２および第３給水管７，８，９の管種は、特に制限されず、可撓管に限らず、塩ビ管、ステンレス管、金属管であってもよい。なお、これら第１、第２および第３給水管７，８，９は、洗面台３２下側の収納庫３３の奥に通常設けられるパイプスペースに収められている。
【００４１】
そうして、第１給水管７は、第１開閉弁１７を有する第１接続路１０を介して、床面２１よりも上側で第２給水管８と接続されている一方、第３給水管９は、その上流端が、第２開閉弁１８を有する第２接続路１１を介して、床面２１よりも上側で第２給水管８と接続されている。以下、これら第１、第２および第３給水管７，８，９の接続関係について説明する。
【００４２】
図２は、第１、第２および第３給水管７，８，９の接続関係を模式的に示す図であり、同図（ａ）は通常モードにおける状態を示し、同図（ｂ）は取水モードにおける状態を示す。図２に示すように、第２給水管８の上端部には、可撓管継手３７を介して第２Ｔ型継手３５の本体部３５ａが取り付けられ、当該本体部３５ａの上端には、逆止弁２０を介して第３開閉弁１９が取り付けられている。第３開閉弁１９は、弁箱の入口と出口の中心線が直角をなすアングル型バルブであり、図２（ａ）に示すように、当該第３開閉弁１９のハンドル２９が縦向きの場合には、閉じられるように構成されている。それ故、通常時にハンドル２９を縦向きにしておけば、逆止弁２０および閉じられた第３開閉弁１９によって、当該第３開閉弁１９の横方向の流出口２３から水道水が流出しないようになっている。なお、現状は、市販品で、複数のバルブの柄を合せるためには、常時方向が逆向きのものはアングル型バルブにせざるを得ない。ただし、新規開発等によりバルブの柄の向きを調整できるならば、アングル型バルブに限定するものではない。このように、流出口２３からの水道水の流出を防ぐために、逆止弁２０と第３開閉弁１９とを併用しているのは、逆止弁２０および第３開閉弁１９のいずれか一方を用いた場合に万が一漏水が生じると、収納庫３３の奥では漏水を発見し難いことに鑑みたからである。なお、本実施形態では、第２給水管８、可撓管継手３７、本体部３５ａ、逆止弁２０および第３開閉弁１９が、本発明で言うところの「第２給水路」に相当する。
【００４３】
第３開閉弁１９の横方向の流出口２３には、十分な長さを有する延長ホース２５が接続されている。延長ホース２５の先端部には、例えば自転車タイヤ用の空気入れ（空気圧入手段）２２（図３（ｂ）参照）を接続可能なバルブ接続口２６が設けられている。これにより、第３開閉弁１９を開き、空気入れ２２のバルブ（例えば米式バルブ）をバルブ接続口２６に接続し、例えば居住者の人力によって空気入れ２２を駆動すれば、第２給水管８に空気を送ることが可能となっている。このため、本実施形態では、第３開閉弁１９の横方向の流出口２３が、本発明で言うところの「第２給水管の他方の端部に設けられた、空気圧入手段が接続される空気圧入口」に相当する。
【００４４】
また、第１給水管７における床面２１よりも上で且つ洗面台３２よりも下の部分には、可撓管継手３８および可撓管継手３９を介して、第１Ｔ型継手３４の本体部３４ａが取り付けられている。なお、本実施形態では、第１給水管７、可撓管継手３８、本体部３４ａおよび可撓管継手３９が、本発明で言うところの「第１給水路」に相当する。
【００４５】
第２Ｔ型継手３５の本体部３５ａから横方向に延びる分岐部３５ｂの先端部には、第３Ｔ型継手３６の分岐部３６ｃの先端部が接続されている。第３Ｔ型継手３６の上側本体部３６ａの上端部には、第１開閉弁１７が取り付けられている。この第１開閉弁１７は、流路孔が貫通形成されるとともにハンドル２７の回転に伴って回転するボールを、その内部に有するボールバルブであり、図２（ａ）に示すように、ハンドル２７が縦向きの場合には、開かれるように構成されている。そうして、第１開閉弁１７は、Ｌ型の可撓管継手４０を介して可撓管４１と接続されており、この可撓管４１は、可撓管継手４２を介して第１Ｔ型継手３４の分岐部３４ｂと接続されている。
【００４６】
以上により、第１接続路１０は、分岐部３５ｂ、分岐部３６ｃ、上側本体部３６ａ、第１開閉弁１７、可撓管継手４０、可撓管４１、可撓管継手４２および分岐部３４ｂによって構成されている。なお、本実施形態では、分岐部３５ｂおよび分岐部３６ｃが、本発明で言うところの「第２給水管における床面から上方に立ち上がる部位から側方に分岐する第１分岐管」に相当し、上側本体部３６ａ、第１開閉弁１７、可撓管継手４０、可撓管４１、可撓管継手４２および分岐部３４ｂが、本発明で言うところの「第１分岐管の先端部から上方に分岐する第２分岐管」に相当する。
【００４７】
さらに、第３給水管９の上端部には、可撓管継手４３を介して第２開閉弁１８が取り付けられている。第２開閉弁１８は、第１開閉弁１７と同様にボールバルブであり、図２（ａ）に示すように、ハンドル２８が縦向きの場合には、開かれるように構成されている。この第２開閉弁１８の上端部には、第３Ｔ型継手３６の下側本体部３６ｂが取り付けられている。
【００４８】
以上により、第２接続路１１は、分岐部３５ｂ、分岐部３６ｃ、下側本体部３６ｂ、第２開閉弁１８および可撓管継手４３によって構成されている。なお、本実施形態では、下側本体部３６ｂ、第２開閉弁１８および可撓管継手４３が、本発明で言うところの「第１分岐管の先端部から下方に分岐する第３分岐管」に相当する。
【００４９】
−通常モード−
次に、飲用水貯留システム１が通常時に採る通常モードについて説明する。なお、通常時とは、水道管２を通じて戸建住宅３に水道水が正常に供給されている状態を意味する。
【００５０】
通常モードでは、図２（ａ）に示すように、第１開閉弁１７のハンドル２７、第２開閉弁１８のハンドル２８および第３開閉弁１９のハンドル２９の向きが全て縦向き（ハンドル２７，２８，２９の長手方向が鉛直方向）となる。これにより、第１開閉弁１７が開いて第１給水管７と第２給水管８とが連通するとともに、第２開閉弁１８が開いて第２給水管８と第３給水管９とが連通する一方、第３開閉弁１９が閉じられる。
【００５１】
そうして、通常時には水道管２から上流側貫通孔４ｂを通って貯水タンク４に水道水が供給されていることから、図３（ａ）に示すように、貯水タンク４に貯まった水道水が給水圧によって下流側第１貫通孔４ｃおよび下流側第２貫通孔４ｄから流出する。下流側第１貫通孔４ｃから流出した水道水は、第１給水管７、可撓管継手３８、本体部３４ａおよび可撓管継手３９を通って、洗面台３２の水栓１５に供給される。
【００５２】
一方、下流側第２貫通孔４ｄから流出した水道水は、第２給水管８および可撓管継手３７を通って第２Ｔ型継手３５に至るが、逆止弁２０および閉じられた第３開閉弁１９によって上方には流れず、第２Ｔ型継手３５の分岐部３５ｂの方へ流れる。ここで、第２Ｔ型継手３５の本体部３５ａにおける分岐部３５ｂよりも上側の部分には水道水が流れないので、若干ではあるが水が滞留することになるが、かかる滞留部には、洗面台３２の水栓１５やトイレ１６で水道水を使用する度に、第２給水管８を上昇してきた水道水の直流が当たるので、滞留部に溜まった水を新鮮な水道水に置き換えることができる。
【００５３】
分岐部３５ｂへ流れた水道水は、分岐部３６ｃを流れた後、上下に分流する。分岐部３６ｃから上方に流れた水道水は、上側本体部３６ａ、第１開閉弁１７、可撓管継手４０、可撓管４１、可撓管継手４２および分岐部３４ｂを通って、第１給水管７を上昇してきた水道水と合流し、洗面台３２の水栓１５に供給される。一方、分岐部３６ｃから下方に流れた水道水は、下側本体部３６ｂ、第２開閉弁１８、可撓管継手４３および第３給水管９を通って、トイレ１６に供給される。
【００５４】
このように、貯水タンク４に貯まった水道水は、洗面台３２の水栓１５のみならずトイレ１６でも使用されるとともに、トイレ１６は家庭での使用水量の２８％を占めているとされている（平成１８年度一般家庭水使用目的別実態調査による）。このため、貯水タンク４設置以降、居住者が例えば一人だけになったとしても、トイレ用水として７０Ｌ前後の水を毎日使用することが期待できることから、貯水タンク４内の水道水を常に新鮮な水道水と入れ替えることが可能となる。
【００５５】
ここで、トイレ１６に水道水を供給する第２給水管８、第２接続路１１および第３給水管９は、所謂鳥居配管となっているため、分岐部３５ｂおよび分岐部３６ｃに空気が溜まり易くなり、空気ポンプによってトイレ１６への吐出流量性能が低下するとも思われる。しかしながら、分岐部３６ｃは上方に延びる上側本体部３６ａと繋がっていることから、分岐部３５ｂおよび分岐部３６ｃに溜まった空気は、洗面台３２の水栓１５が開かれる度に排出されるので、空気溜まりによって吐出流量性能が低下するのを回避することができる。
【００５６】
−取水モード−
次に、飲用水貯留システム１が震災等における断水時に採る取水モードについて説明する。断水時には水道管２から貯水タンク４に水道水が供給されないため、第１開閉弁１７や第２開閉弁１８が開いていても、洗面台３２の水栓１５やトイレ１６に水道水が供給されることはない。このため、取水モードでは、居住者が、自転車タイヤ用の空気入れ２２等を用いて貯水タンク４内に貯まった水道水に空気圧を作用させることで、洗面台３２の水栓１５から水道水を取水することができるようにしている。
【００５７】
ここで、トイレ１６は通常、水面の上下変動によるボールの変位で弁を開閉するボールタップによって給水を行うため、断水後に一度でも使用されると末端解放状態となるが、専門業者ではない居住者がトイレ１６のタンクを確認した上、必要に応じて止水栓を閉めることは期待し難い。また、例えば、第３給水管９の下流端がトイレ１６以外の水栓器具と接続されているような場合、震災等の非常時に、第３給水管９が接続された水栓器具が閉鎖されているか一々を確認して回れるかは疑問である。そうして、トイレ１６等の止水栓が開放されていると、空気を圧入しても取水することが困難になったり、貴重な水が流出したりするおそれがある。
【００５８】
そこで、取水モードでは、先ず、図２（ｂ）に示すように、第１開閉弁１７のハンドル２７、第２開閉弁１８のハンドル２８および第３開閉弁１９のハンドル２９の向きが全て横向き（ハンドル２７，２８，２９の長手方向が水平方向）とする。これにより、第１開閉弁１７が閉じて第１給水管７と第２給水管８とが遮断されるとともに、第２開閉弁１８が閉じて第２給水管８と第３給水管９とが遮断される一方、第３開閉弁１９が開かれる。
【００５９】
このように、第２開閉弁１８が閉じて第２給水管８と第３給水管９とが遮断されることから、トイレ１６の止水栓が開放されていても、取水が困難になったり、貴重な水が流出したりするのを抑えることができる。しかも、通常モードから取水モードに切り替える際に操作すべき第１、第２および第３開閉弁１７，１８，１９が、洗面台３２下側の収納庫３３の奥に設けられたパイプスペースに集中的に設置されていることから、止水栓の開閉管理等を容易に行うことができる。また、通常モードおよび取水モードにおける、第１、第２および第３開閉弁１７，１８，１９のハンドル２７，２８，２９の向きが全て同じ方向に設定されていることから、各開閉弁１７，１８，１９の開け忘れや閉め忘れが可及的に防止される。
【００６０】
そうして、収納庫３３の奥から延長ホース２５を引き出し、空気入れ２２のバルブをバルブ接続口２６に接続し、人力によって空気入れ２２を駆動して、図３（ｂ）の破線矢印で示すように、第３開閉弁１９の流出口２３（以下、空気圧入口２３ともいう）から第２給水管８に空気を圧入する。このように、予め空気圧入口２３に延長ホース２５を接続していることで、空気入れ２２のホースが短い場合でも、収納庫３３の奥で空気入れ２２のバルブをバルブ接続口２６に接続する煩雑さを解消することができる。なお、取水に必要な空気圧は０．２（ＭＰａ）程度あればよく、自転車タイヤ用の空気入れ２２に限らず、例えば自動車タイヤ用の空気入れやエアコンプレッサー等を用いてもよい。また、空気の入れ損ないを防止するため、空気入れ２２の逆止弁は外しておくことが好ましい。さらに、空気入れ２２のホースは、特に限定しないが、例えば異物（機械油等）の混入がチェックできるように、透明のものが好ましい。
【００６１】
圧入された空気は、第２Ｔ型継手３５に至るが、図３（ｂ）に示すように、第１開閉弁１７および第２開閉弁１８が閉じられていることから、洗面台３２の水栓１５やトイレ１６の止水栓が開いていても空気漏れすることなく、第２Ｔ型継手３５の本体部３５ａおよび第２給水管８を通って貯水タンク４に供給される。
【００６２】
このようにして、貯水タンク４に空気を供給し続けることによって、貯水タンク４内の内圧が上がり、空気圧によって貯水タンク４内の水道水が貯水タンク４外に排出される。ここで、上流側貫通孔４ｂとヘッダー６の分岐部６ｂとを繋ぐ配管３１には逆止弁５が設けられていることから、貯水タンク４内の水道水は下流側第１貫通孔４ｃからのみ、貯水タンク４外に排出される。
【００６３】
そうして、貯水タンク４内の内圧が上がった状態にて、洗面台３２の水栓１５を開けば、空気圧によって第１給水管７を上昇して供給される水道水を取水することができる。なお、本実施形態においては、下流側第１貫通孔４ｃを貯水タンク４の下端部に設けていることから、貯水タンク４内に貯まった水道水をほぼ余すことなく取水することができる。
【００６４】
以上のように、本実施形態の飲用水貯留システム１では、第１〜第３開閉弁１７，１８，１９や空気圧入口２３を、断水時に非常取水栓となる水栓１５の近傍に集中して設けていることから、同一人が第１〜第３開閉弁１７，１８，１９の操作や、空気入れ２２による空気の圧入や、水栓１５からの取水を円滑に行うことができる。
【００６５】
−作業手順の表示−
上述の如く、通常モードおよび取水モードにおける、第１、第２および第３開閉弁１７，１８，１９のハンドル２７，２８，２９の向きを全て同じ方向に設定しても、居住者が各開閉弁１７，１８，１９の操作手順を失念するおそれがある。また、通常モードから取水モードへの切り替え手順を記載した手順書４４を渡しておいても、手順書４４を紛失してしまい、震災等の緊急時に発見できないおそれもある。そこで、本実施形態では、通常モードから取水モードへの切り替え手順を表示した表示物２４を第１、第２および第３開閉弁１７，１８，１９に取り付けるようにしている。
【００６６】
具体的には、図４に示すように、飲用水貯留システム１の使用方法を記載した手順書４４を、上側と右側とに広めのマージンを持たせて透明のラミネートフィルム４５でラミネート加工する。そうして、図５（ａ）に示すように、第１、第２および第３開閉弁１７，１８，１９の軸１７ａ，１８ａ，１９ａからハンドル２７，２８，２９をそれぞれ外す。次いで、表示物２４を第１、第２および第３開閉弁１７，１８，１９に当て、ラミネートフィルム４５の上側および右側のマージン部における、第１開閉弁１７の軸１７ａ、第２開閉弁１８の軸１８ａおよび第３開閉弁１９の軸１９ａに対応する位置に印を付ける。次いで、図４に示すように、ラミネートフィルム４５の上側および右側のマージン部における印の付いた位置、すなわち、第１、第２および第３開閉弁１７，１８，１９の軸１７ａ，１８ａ，１９ａに対応した位置に、３つの貫通孔４５ａ，４５ｂ，４５ｃを開ける。そうして、図５（ｂ）に示すように、表示物２４に開けられた３つの貫通孔４５ａ，４５ｂ，４５ｃに、第１、第２および第３開閉弁１７，１８，１９の軸１７ａ，１８ａ，１９ａをそれぞれ挿入する。次いで、図５（ｃ）に示すように、第１、第２および第３開閉弁１７，１８，１９の軸１７ａ，１８ａ，１９ａにハンドル２７，２８，２９を嵌め直すことで、表示物２４を第１、第２および第３開閉弁１７，１８，１９に固定する。
【００６７】
これにより、通常モードから取水モードへの切り替え手順を見ながら第１、第２および第３開閉弁１７，１８，１９の開閉操作を行えることから、開閉操作に不慣れな居住者であっても、操作すべき開閉弁１７，１８，１９を誤認することなく、取水作業を適正に行うことができる。なお、複数形成された貫通孔４５ａ，４５ｂ，４５ｃ全てを用いなくてもよいし、貫通孔４５ａ，４５ｂ，４５ｃにスリット（図示せず）を設け、ハンドル２７，２８，２９の着脱を省略してもよい。さらに、複数の軸１７ａ，１８ａ，１９ａと、それに対応した貫通孔４５ａ，４５ｂ，４５ｃとに紐掛けを行い、位置決めした掲示を行ってもよい。
【００６８】
（実施形態２）
本実施形態は、第１〜第３給水管７，８，９として可撓管ではなくクロムメッキ管を用いている点、および、第２給水管８からの水道水の流れを第３Ｔ型継手３６で第１および第３給水管７，９に上下に振り分けるのではなく、クロス継手４６を用いて第１および第３給水管７，９に左右に振り分ける点が、上記実施形態１とは大きく異なるものである。以下、実施形態１と異なる点を中心に説明する。
【００６９】
上記実施形態１のように、第１〜第３給水管７，８，９等が、収納庫３３の奥のパイプスペースに設けられるのではなく、収納庫３３内で露出しているような場合には、配管スペースの自由度が高い反面、機能性のみならず美観性も飲用水貯留システム１に求められる。
【００７０】
このため、本実施形態では、第１〜第３給水管７，８，９として、可撓管よりも見た目が美しいクロムメッキ管を用いるようにしている。もっとも、単にクロムメッキ管を用いても、配管が入り組んでいたのでは美観性を確保することが困難となる。
【００７１】
そこで、本実施形態では、配管が入り組むのを避けるべく、配管スペースの自由度が高いことを利用して、図６に示すように、第２給水管８からの水道水の流れを、クロス継手４６を用いて第１および第３給水管７，９に左右に振り分けるようにしている。
【００７２】
具体的には、図６に示すように、第２給水管８の上端部には、クロムメッキが施されたクロス継手４６の本体部４６ａが取り付けられ、当該本体部４６ａの上端には、逆止弁２０を介して第３’開閉弁４９が取り付けられている。第３’開閉弁４９は、第１および第２開閉弁１７，１８と同様にボールバルブであり、図６（ａ）に示すように、当該第３’開閉弁４９のハンドル４９ａが横向きの場合には、閉じられるように構成されている。なお、収納庫３３の奥では漏水を発見し難いのに対し、第１〜第３給水管７，８，９等が収納庫３３内で露出している場合には漏水の早期発見が可能なので、逆止弁２０を省略して、第３’開閉弁４９のみで空気圧入口２３からの水道水の流出を防ぐようにしてもよい。本実施形態では、第２給水管８、本体部４６ａ、逆止弁２０および第３’開閉弁４９が、本発明で言うところの「第２給水路」に相当する。
【００７３】
また、第１給水管７における床面２１よりも上で且つ洗面台３２よりも下の部分には、クロムメッキが施された第１’Ｔ型継手４７の本体部４７ａが取り付けられている。なお、本実施形態では、第１給水管７、本体部４７ａが、本発明で言うところの「第１給水路」に相当する。
【００７４】
クロス継手４６の本体部４６ａから図６の右方向に延びる分岐部４６ｂの先端部には、第１開閉弁１７を介して第１’Ｔ型継手４７の分岐部４７ｂの先端部が接続されている。これにより、本実施形態では、第１接続路１０は、分岐部４６ｂ、第１開閉弁１７および分岐部４７ｂによって構成されている。
【００７５】
さらに、第３給水管９の上端部には、クロムメッキが施されたＬ型継手４８が取り付けられているとともに、第２開閉弁１８を介して、クロス継手４６の本体部４６ａから図６の左方向に延びる分岐部４６ｃと当該Ｌ型継手４８とが接続されている。これにより、第２接続路１１は、分岐部４６ｃ、第２開閉弁１８およびＬ型継手４８によって構成されている。
【００７６】
本実施形態では、図６（ａ）に示すように、第１開閉弁１７のハンドル２７、第２開閉弁１８のハンドル２８および第３’開閉弁４９のハンドル４９ａの向きが全て横向きのときは通常モードとなる。一方、図６（ｂ）に示すように、第１開閉弁１７のハンドル２７、第２開閉弁１８のハンドル２８および第３’開閉弁４９のハンドル４９ａの向きが全て縦向きのときは取水モードとなる。なお、通常モードおよび取水モードにおける水道水の流れ等は、上記実施形態１とほぼ同様なので説明を省略する。
【００７７】
（実施形態３）
本実施形態は、第１〜第３開閉弁１７，１８，１９等を洗面台３２近傍の床下に配置する点が、上記実施形態１とは大きく異なるものである。以下、実施形態１と異なる点を中心に説明する。
【００７８】
戸建住宅の場合には、通常、洗面所や台所には床下点検口（図示せず）が設置されているところ、本実施形態では、第１〜第３給水管７，８，９等を床転がし配管の一部とし、洗面台３２近傍の床下に寝かせて配管するとともに、第１〜第３開閉弁１７，１８，１９等をかかる床下点検口の付近に配置する。そうして、万一の断水の際には、床下点検口の蓋を開き、床下点検口の基礎面に降りて第１〜第３開閉弁１７，１８，１９の操作や延長ホース２５の取り出しを行う。なお、本実施形態の場合、床下に空気入れ２２を置いておけば、居住空間における空気入れ２２の設置スペースを確保しないで済むとともに、必要なときに空気入れ２２を容易に入手することが可能となる。
【００７９】
（実施形態４）
本実施形態は、図２における、第２および第３給水管８，９から第１開閉弁１７および逆止弁２０までの部分を、床下点検口脇の根太（図示せず）や大引き（図示せず）等を利用して床下に固定するものである。この場合には、第２および第３給水管８，９を水平に配置し、エア抜けのため第３給水管９をより高い位置関係で支持する。
【００８０】
これら第２および第３給水管８，９等の固定方法としては、両サドル（図示せず）を用いて直接根太等に固定してもよいし、金物等を用いて間接的に根太等に固定してもよい。また、第３Ｔ型継手３６を根太等に固定し、第２Ｔ型継手３５および当該第２Ｔ型継手３５と接続される可撓管継手３７等を宙吊りとしてもよい。
【００８１】
そうして、上記実施形態３と同様に、万一の断水の際には、床下点検口の蓋を開き、床下点検口の基礎面に降りて第１〜第３開閉弁１７，１８，１９の操作や延長ホース２５の取り出しを行う。
【００８２】
（その他の実施形態）
本発明は、実施形態に限定されず、その精神又は主要な特徴から逸脱することなく他の色々な形で実施することができる。
【００８３】
上記各実施形態では、本発明を洗面台３２の水栓１５に適用したが、これに限らず、例えば台所の水栓に本発明を適用してもよい。この場合には、シンク下の収納庫に第１〜第３給水管７，８，９や第１〜第３開閉弁１７，１８，１９等を集中的に配置することができる。
【００８４】
また、上記各実施形態では、貯水タンク４を戸建住宅３の床下に設置したが、これに限らず、例えば洗面台３２や台所が２階以上の階にある場合には、当該洗面台３２や台所がある階の床と、下階の天井との間の空間に貯水タンク４を設置してもよい。
【００８５】
さらに、上記各実施形態では、ヘッダー６の分岐部６ｃ，６ｄ，６ｅを、洗面台３２の水栓１５およびトイレ１６以外の水栓器具と接続したが、これに限らず、分岐部６ｃ，６ｄ，６ｅを貯水タンク４と同種の貯水タンクと接続して、かかる貯水タンクに本発明を適用してもよい。
【００８６】
また、上記実施形態１では、通常時における空気圧入口２３から水道水の流出を防ぐために、逆止弁２０と第３開閉弁１９とを併用したが、これに限らず、逆止弁２０および第３開閉弁１９のいずれか一方を用いるようにしてもよい。
【００８７】
さらに、上記各実施形態では、ボールバルブを用いてモードの切り替えを行ったが、これに限らず、例えば図７に示すような市販のヘッダー５０を用いてモードの切り替えを行うようにしてもよい。
【００８８】
また、上記各実施形態では、第３給水管９の下流端をトイレ１６に接続したが、これに限らず、第３給水管９を、トイレ１６以外の水栓器具に接続してもよいし、トイレ１６を含む複数の水栓器具に接続してもよい。
【００８９】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００９０】
本発明によると、通常時における水の入れ替え性と、断水時の取水作業における操作性を向上させることができるので、水道水を貯水する飲用水貯留システムに適用して極めて有益である。
【符号の説明】
【００９１】
１        飲用水貯留システム
２        水道管
３        戸建住宅
４        貯水タンク
５        逆止弁
７        第１給水管（第１給水路）
８        第２給水管（第２給水路）
９        第３給水管（第３給水路）
１０      第１接続路
１１      第２接続路
１５      洗面台の水栓（第１水栓器具）
１６      トイレ（第２水栓器具）
１７      第１開閉弁
１７ａ，１８ａ，１９ａ    軸
１８      第２開閉弁
１９      第３開閉弁（弁）
２０      逆止弁（弁）
２１      床面
２２      空気入れ（空気圧入手段）
２３      空気圧入口
２４      表示物
２５      延長ホース
２６      バルブ接続口
２７，２８，２９，４９ａ      ハンドル
３５ｂ    分岐部（第１分岐管）
３６ｃ    分岐部（第１分岐管）
４５ａ，４５ｂ，４５ｃ    貫通孔
４９      第３’開閉弁（弁）
５０      ヘッダー
【図１】
2016069975.tif 000003
【図２】
2016069975.tif 000004
【図３】
2016069975.tif 000005
【図４】
2016069975.tif 000006
【図５】
2016069975.tif 000007
【図６】
2016069975.tif 000008
【図７】
2016069975.tif 000009